(57)【特許請求の範囲】
【請求項１】
光軸に沿って物体側から順に並んだ、正の屈折力を有する第１レンズ群と、負の屈折力を有する第２レンズ群と、正の屈折力を有する第３レンズ群とにより実質的に３つのレンズ群からなり、無限遠物体から有限距離物体への合焦の際、前記第２レンズ群が光軸に沿って移動するように構成された望遠レンズであって、
前記第１レンズ群は、光軸に沿って物体側から順に並んだ、正の屈折力を有する前群と、前記前群に対し前記第１レンズ群の中で最も長い空気間隔を隔てた後群とからなり、
前記第１レンズ群の前群は、少なくとも１枚の正レンズと、少なくとも１枚の負レンズとを有し、
前記第２レンズ群は、光軸に沿って物体側から順に並んだ、第１の負レンズと、正レンズと、第２の負レンズとを有し、
以下の条件式をそれぞれ満足することを特徴とする望遠レンズ。
０．００＜ｆ１Ｆ／｜ｆ１Ｒ｜＜０．５０
２４＜ν２ａ＜５３
但し、
ｆ１Ｆ：前記第１レンズ群の前群の焦点距離、
ｆ１Ｒ：前記第１レンズ群の後群の焦点距離、
ν２ａ：前記第２レンズ群における前記第１の負レンズのアッベ数。
【請求項２】
以下の条件式をそれぞれ満足することを特徴とする請求項１に記載の望遠レンズ。
ν１ｐ＞９０
ν１ｎ＞４８
但し、
ν１ｐ：前記第１レンズ群の前群の前記正レンズのうち少なくとも１枚のアッベ数、
ν１ｎ：前記第１レンズ群の前群の前記負レンズのうち少なくとも１枚のアッベ数。
【請求項３】
光軸に沿って物体側から順に並んだ、正の屈折力を有する第１レンズ群と、負の屈折力を有する第２レンズ群と、正の屈折力を有する第３レンズ群とにより実質的に３つのレンズ群からなり、無限遠物体から有限距離物体への合焦の際、前記第２レンズ群が光軸に沿って移動するように構成された望遠レンズであって、
前記第１レンズ群は、光軸に沿って物体側から順に並んだ、正の屈折力を有する前群と、前記前群に対し前記第１レンズ群の中で最も長い空気間隔を隔てた後群とからなり、
前記第１レンズ群の前群は、少なくとも１枚の正レンズと、少なくとも１枚の負レンズとを有し、
前記第２レンズ群は、光軸に沿って物体側から順に並んだ、第１の負レンズと、正レンズと、第２の負レンズとを有し、
以下の条件式をそれぞれ満足することを特徴とする望遠レンズ。
ν１ｐ＞９０
ν１ｎ＞４８
２４＜ν２ａ＜５６
但し、
ν１ｐ：前記第１レンズ群の前群の前記正レンズのうち少なくとも１枚のアッベ数、
ν１ｎ：前記第１レンズ群の前群の前記負レンズのうち少なくとも１枚のアッベ数、
ν２ａ：前記第２レンズ群における前記第１の負レンズのアッベ数。
【請求項４】
以下の条件式を満足することを特徴とする請求項１から３のいずれか一項に記載の望遠レンズ。
１．６０＜Ｎ１ｎ＜１．８０
但し、
Ｎ１ｎ：前記第１レンズ群の前群の前記負レンズのうち少なくとも１枚の屈折率。
【請求項５】
以下の条件式を満足することを特徴とする請求項１から４のいずれか一項に記載の望遠レンズ。
１．６０＜Ｎ２ｃ＜１．８０
但し、
Ｎ２ｃ：前記第２レンズ群における前記第２の負レンズの屈折率。
【請求項６】
以下の条件式を満足することを特徴とする請求項１から５のいずれか一項に記載の望遠レンズ。
３．６０＜ｆ１／（−ｆ２）＜４．００
但し、
ｆ１：前記第１レンズ群の焦点距離、
ｆ２：前記第２レンズ群の焦点距離。
【請求項７】
前記第１レンズ群の前群は、光軸に沿って物体側から順に並んだ、第１の正レンズと、第２の正レンズと、負レンズとを有して構成されることを特徴とする請求項１から６のいずれか一項に記載の望遠レンズ。
【請求項８】
前記第１レンズ群の後群は、負レンズと、正レンズとを有して構成されることを特徴とする請求項１から７のいずれか一項に記載の望遠レンズ。
【請求項９】
物体の像を所定の面上に結像させる望遠レンズを備えた光学装置であって、
前記望遠レンズが請求項１から８のいずれか一項に記載の望遠レンズであることを特徴とする光学装置。
【請求項１０】
光軸に沿って物体側から順に、正の屈折力を有する第１レンズ群と、負の屈折力を有する第２レンズ群と、正の屈折力を有する第３レンズ群とを配置する実質的に３つのレンズ群からなる望遠レンズの製造方法であって、
無限遠物体から有限距離物体への合焦の際、前記第２レンズ群が光軸に沿って移動し、
前記第１レンズ群は、光軸に沿って物体側から順に並んだ、正の屈折力を有する前群と、前記前群に対し前記第１レンズ群の中で最も長い空気間隔を隔てた後群とからなり、
前記第１レンズ群の前群は、少なくとも１枚の正レンズと、少なくとも１枚の負レンズとを有し、
前記第２レンズ群は、光軸に沿って物体側から順に並んだ、第１の負レンズと、正レンズと、第２の負レンズとを有し、
以下の条件式をそれぞれ満足するようにしたことを特徴とする望遠レンズの製造方法。
０．００＜ｆ１Ｆ／｜ｆ１Ｒ｜＜０．５０
２４＜ν２ａ＜５３
但し、
ｆ１Ｆ：前記第１レンズ群の前群の焦点距離、
ｆ１Ｒ：前記第１レンズ群の後群の焦点距離、
ν２ａ：前記第２レンズ群における前記第１の負レンズのアッベ数。
【請求項１１】
光軸に沿って物体側から順に、正の屈折力を有する第１レンズ群と、負の屈折力を有する第２レンズ群と、正の屈折力を有する第３レンズ群とを配置する実質的に３つのレンズ群からなる望遠レンズの製造方法であって、
無限遠物体から有限距離物体への合焦の際、前記第２レンズ群が光軸に沿って移動し、
前記第１レンズ群は、光軸に沿って物体側から順に並んだ、正の屈折力を有する前群と、前記前群に対し前記第１レンズ群の中で最も長い空気間隔を隔てた後群とからなり、
前記第１レンズ群の前群は、少なくとも１枚の正レンズと、少なくとも１枚の負レンズとを有し、
前記第２レンズ群は、光軸に沿って物体側から順に並んだ、第１の負レンズと、正レンズと、第２の負レンズとを有し、
以下の条件式をそれぞれ満足するようにしたことを特徴とする望遠レンズの製造方法。
ν１ｐ＞９０
ν１ｎ＞４８
２４＜ν２ａ＜５６
但し、
ν１ｐ：前記第１レンズ群の前群の前記正レンズのうち少なくとも１枚のアッベ数、
ν１ｎ：前記第１レンズ群の前群の前記負レンズのうち少なくとも１枚のアッベ数、
ν２ａ：前記第２レンズ群における前記第１の負レンズのアッベ数。
【発明の詳細な説明】
【技術分野】
【０００１】
本発明は、一眼レフレックスカメラや電子スチルカメラ等に好適な望遠レンズ、光学装
置、および望遠レンズの製造方法に関する。
【背景技術】
【０００２】
従来から、長焦点距離に好適な光学系（望遠レンズ）として、物体側から順に、正の屈
折力を有する第１レンズ群と、負の屈折力を有する第２レンズ群とを有したテレフォトタ
イプの光学系が知られている（例えば、特許文献１および特許文献２を参照）。このタイ
プの光学系は、焦点距離に比べて全長を短くできるという利点を有している。ところが、
焦点距離が８００mm程度にもなると、光学系の全長が長くなり、重量も重くなる。また、
近年では、合焦の速度をあげるために、光学系全体を繰り出すのではなく、一部の合焦レ
ンズ群を移動させて合焦を行っているので、合焦レンズ群が軽く、また、既存の合焦モジ
ュールを使うために、合焦レンズ群のレンズ径が小さいことが要求されている。
【先行技術文献】
【特許文献】
【０００３】
【特許文献１】特開２００９−１８０８２７号公報
【特許文献２】特許第４０３２５０２号公報
【発明の概要】
【発明が解決しようとする課題】
【０００４】
しかしながら、このような従来の望遠レンズでは、良好な光学性能を維持しつつ小型化
を達成するのが難しかった。
【０００５】
本発明は、このような問題に鑑みてなされたものであり、小型でありながら良好な光学
性能を有した望遠レンズ、光学装置、および望遠レンズの製造方法を提供することを目的
とする。
【課題を解決するための手段】
【０００６】
このような目的達成のため、第１の発明に係る望遠レンズは、光軸に沿って物体側から順に並んだ、正の屈折力を有する第１レンズ群と、負の屈折力を有する第２レンズ群と、正の屈折力を有する第３レンズ群とにより実質的に３つのレンズ群からなり、無限遠物体から有限距離物体への合焦の際、前記第２レンズ群が光軸に沿って移動するように構成された望遠レンズであって、前記第１レンズ群は、光軸に沿って物体側から順に並んだ、正の屈折力を有する前群と、前記前群に対し前記第１レンズ群の中で最も長い空気間隔を隔てた後群とからなり、前記第１レンズ群の前群は、少なくとも１枚の正レンズと、少なくとも１枚の負レンズとを有し、前記第２レンズ群は、光軸に沿って物体側から順に並んだ、第１の負レンズと、正レンズと、第２の負レンズとを有し、以下の条件式をそれぞれ満足している。
０．００＜ｆ１Ｆ／｜ｆ１Ｒ｜＜０．５０
２４＜ν２ａ＜５３
但し、
ｆ１Ｆ：前記第１レンズ群の前群の焦点距離、
ｆ１Ｒ：前記第１レンズ群の後群の焦点距離、
ν２ａ：前記第２レンズ群における前記第１の負レンズのアッベ数。
【０００７】
なお、上述の望遠レンズにおいて、以下の条件式をそれぞれ満足することが好ましい。
ν１ｐ＞９０
ν１ｎ＞４８
但し、
ν１ｐ：前記第１レンズ群の前群の前記正レンズのうち少なくとも１枚のアッベ数、
ν１ｎ：前記第１レンズ群の前群の前記負レンズのうち少なくとも１枚のアッベ数。
【０００８】
また、第２の発明に係る望遠レンズは、光軸に沿って物体側から順に並んだ、正の屈折力を有する第１レンズ群と、負の屈折力を有する第２レンズ群と、正の屈折力を有する第３レンズ群とにより実質的に３つのレンズ群からなり、無限遠物体から有限距離物体への合焦の際、前記第２レンズ群が光軸に沿って移動するように構成された望遠レンズであって、前記第１レンズ群は、光軸に沿って物体側から順に並んだ、正の屈折力を有する前群と、前記前群に対し前記第１レンズ群の中で最も長い空気間隔を隔てた後群とからなり、前記第１レンズ群の前群は、少なくとも１枚の正レンズと、少なくとも１枚の負レンズとを有し、前記第２レンズ群は、光軸に沿って物体側から順に並んだ、第１の負レンズと、正レンズと、第２の負レンズとを有し、以下の条件式をそれぞれ満足している。
ν１ｐ＞９０
ν１ｎ＞４８
２４＜ν２ａ＜５６
但し、
ν１ｐ：前記第１レンズ群の前群の前記正レンズのうち少なくとも１枚のアッベ数、
ν１ｎ：前記第１レンズ群の前群の前記負レンズのうち少なくとも１枚のアッベ数、
ν２ａ：前記第２レンズ群における前記第１の負レンズのアッベ数。
【０００９】
また、上述の望遠レンズにおいて、以下の条件式を満足することが好ましい。
１．６０＜Ｎ１ｎ＜１．８０
但し、
Ｎ１ｎ：前記第１レンズ群の前群の前記負レンズのうち少なくとも１枚の屈折率。
【００１２】
また、上述の望遠レンズにおいて、以下の条件式を満足することが好ましい。
１．６０＜Ｎ２ｃ＜１．８０
但し、
Ｎ２ｃ：前記第２レンズ群における前記第２の負レンズの屈折率。
【００１３】
また、上述の望遠レンズにおいて、以下の条件式を満足することが好ましい。
３．６０＜ｆ１／（−ｆ２）＜４．００
但し、
ｆ１：前記第１レンズ群の焦点距離、
ｆ２：前記第２レンズ群の焦点距離。
【００１４】
また、上述の望遠レンズにおいて、前記第１レンズ群の前群は、光軸に沿って物体側か
ら順に並んだ、第１の正レンズと、第２の正レンズと、負レンズとを有して構成されるこ
とが好ましい。
【００１５】
また、上述の望遠レンズにおいて、前記第１レンズ群の後群は、負レンズと、正レンズ
とを有して構成されることが好ましい。
【００１６】
また、本発明に係る光学装置は、物体の像を所定の面上に結像させる望遠レンズを備え
た光学装置であって、前記望遠レンズとして本発明に係る望遠レンズを用いている。
【００１７】
また、第１の発明に係る望遠レンズの製造方法は、光軸に沿って物体側から順に、正の屈折力を有する第１レンズ群と、負の屈折力を有する第２レンズ群と、正の屈折力を有する第３レンズ群とを配置する実質的に３つのレンズ群からなる望遠レンズの製造方法であって、無限遠物体から有限距離物体への合焦の際、前記第２レンズ群が光軸に沿って移動し、前記第１レンズ群は、光軸に沿って物体側から順に並んだ、正の屈折力を有する前群と、前記前群に対し前記第１レンズ群の中で最も長い空気間隔を隔てた後群とからなり、前記第１レンズ群の前群は、少なくとも１枚の正レンズと、少なくとも１枚の負レンズとを有し、前記第２レンズ群は、光軸に沿って物体側から順に並んだ、第１の負レンズと、正レンズと、第２の負レンズとを有し、以下の条件式をそれぞれ満足するようにしている。
０．００＜ｆ１Ｆ／｜ｆ１Ｒ｜＜０．５０
２４＜ν２ａ＜５３
但し、
ｆ１Ｆ：前記第１レンズ群の前群の焦点距離、
ｆ１Ｒ：前記第１レンズ群の後群の焦点距離、
ν２ａ：前記第２レンズ群における前記第１の負レンズのアッベ数。
【００１８】
また、第２の発明に係る望遠レンズの製造方法は、光軸に沿って物体側から順に、正の屈折力を有する第１レンズ群と、負の屈折力を有する第２レンズ群と、正の屈折力を有する第３レンズ群とを配置する実質的に３つのレンズ群からなる望遠レンズの製造方法であって、無限遠物体から有限距離物体への合焦の際、前記第２レンズ群が光軸に沿って移動し、前記第１レンズ群は、光軸に沿って物体側から順に並んだ、正の屈折力を有する前群と、前記前群に対し前記第１レンズ群の中で最も長い空気間隔を隔てた後群とからなり、前記第１レンズ群の前群は、少なくとも１枚の正レンズと、少なくとも１枚の負レンズとを有し、前記第２レンズ群は、光軸に沿って物体側から順に並んだ、第１の負レンズと、正レンズと、第２の負レンズとを有し、以下の条件式をそれぞれ満足するようにしている。
ν１ｐ＞９０
ν１ｎ＞４８
２４＜ν２ａ＜５６
但し、
ν１ｐ：前記第１レンズ群の前群の前記正レンズのうち少なくとも１枚のアッベ数、
ν１ｎ：前記第１レンズ群の前群の前記負レンズのうち少なくとも１枚のアッベ数、
ν２ａ：前記第２レンズ群における前記第１の負レンズのアッベ数。
【発明の効果】
【００１９】
本発明によれば、小型でありながら良好な光学性能を得ることができる。
【図面の簡単な説明】
【００２０】
【図１】第１実施例に係る望遠レンズのレンズ構成図である。
【図２】第１実施例の無限遠合焦状態における諸収差図である。
【図３】第２実施例に係る望遠レンズのレンズ構成図である。
【図４】第２実施例の無限遠合焦状態における諸収差図である。
【図５】第３実施例に係る望遠レンズのレンズ構成図である。
【図６】第３実施例の無限遠合焦状態における諸収差図である。
【図７】第４実施例に係る望遠レンズのレンズ構成図である。
【図８】第４実施例の無限遠合焦状態における諸収差図である。
【図９】第５実施例に係る望遠レンズのレンズ構成図である。
【図１０】第５実施例の無限遠合焦状態における諸収差図である。
【図１１】デジタル一眼レフカメラの断面図である。
【図１２】望遠レンズの製造方法を示すフローチャートである。
【発明を実施するための形態】
【００２１】
以下、本願の好ましい実施形態について図を参照しながら説明する。本願に係る望遠レ
ンズＴＬを備えたデジタル一眼レフカメラＣＡＭが図１１に示されている。図１１に示す
デジタル一眼レフカメラＣＡＭにおいて、不図示の物体（被写体）からの光は、望遠レン
ズ（撮影レンズ）ＴＬで集光されて、クイックリターンミラーＭを介して焦点板Ｆ上に結
像される。焦点板Ｆ上に結像された光は、ペンタプリズムＰ中で複数回反射されて接眼レ
ンズＥへと導かれる。これにより、撮影者は、接眼レンズＥを介して物体（被写体）の像
を正立像として観察することができる。
【００２２】
また、撮影者によって不図示のレリーズボタンが押されると、クイックリターンミラー
Ｍが光路外へ退避し、望遠レンズＴＬで集光された物体（被写体）からの光は、撮像素子
Ｃ上に結像されて被写体の像を形成する。これにより、物体（被写体）からの光は、撮像
素子Ｃ上に結像されて当該撮像素子Ｃにより撮像され、物体（被写体）の画像として不図
示のメモリーに記録される。このようにして、撮影者はデジタル一眼レフカメラＣＡＭに
よる物体（被写体）の撮影を行うことができる。なお、クイックリターンミラーＭを有し
ないカメラであっても、上記カメラＣＡＭと同様の効果を得ることができる。また、図１
１に示すデジタル一眼レフカメラＣＡＭは、望遠レンズＴＬを着脱可能に保持する構成で
あってもよく、望遠レンズＴＬと一体に構成されるものであってもよい。
【００２３】
望遠レンズＴＬは、例えば図１に示すように、光軸に沿って物体側から順に並んだ、正
の屈折力を有する第１レンズ群Ｇ１と、負の屈折力を有する第２レンズ群Ｇ２と、正の屈
折力を有する第３レンズ群Ｇ３とから構成され、無限遠物体から近距離（有限距離）物体
への合焦の際、第２レンズ群Ｇ２が光軸に沿って移動するようになっている。また、第１
レンズ群Ｇ１は、光軸に沿って物体側から順に並んだ、正の屈折力を有する前群Ｇ１ａと
、この前群Ｇ１ａに対し第１レンズ群Ｇ１の中で最も長い空気間隔を隔てた後群Ｇ１ｂと
からなり、第１レンズ群Ｇ１の前群Ｇ１ａは、少なくとも１枚の正レンズと、少なくとも
１枚の負レンズとを有している。
【００２４】
なお、焦点距離の長い望遠レンズＴＬは、全長が長く、重心がカメラより離れたところ
にあるため、手持ちで撮影する場合に手ブレの生じる確率が高くなる。また、ファインダ
ー（接眼レンズＥ）で覗いたときに像がブレやすい。この問題を解決するために、光学系
の一部分を光軸と垂直な方向に動かす防振補正機構を導入する必要がある。単純な構成で
防振可能とするならば、正の屈折力を有する第１レンズ群Ｇ１と合焦を担う負の屈折力を
有する第２レンズ群Ｇ２で略アフォーカルを形成し、マスターレンズである第３レンズ群
Ｇ３の一部を防振レンズ群とすることが望ましい。
【００２５】
このような構成の望遠レンズＴＬにおいて、優れた光学性能を維持しつつ、全長を短く
するため、第１レンズ群Ｇ１の前群Ｇ１ａの焦点距離をｆ１Ｆとし、第１レンズ群Ｇ１の
後群Ｇ１ｂの焦点距離をｆ１Ｒとしたとき、次の条件式（１）で表される条件を満足する
ことが好ましい。
【００２６】
０．００＜ｆ１Ｆ／｜ｆ１Ｒ｜＜０．５０    …（１）
【００２７】
条件式（１）は、望遠レンズＴＬの全長を短くするための条件式である。第１レンズ群
Ｇ１の後側主点位置が物体側に位置するほど、第１レンズ群Ｇ１と第２レンズ群Ｇ２との
間隔は短くなる。第１レンズ群Ｇ１は、正の屈折力を有する前群Ｇ１ａと、後群Ｇ１ｂと
から構成されるので、後群Ｇ１ｂの焦点距離が長いほど、第１レンズ群Ｇ１の後側主点位
置が物体側に位置することになる。したがって、条件式（１）の下限値を下回る条件であ
る場合、望遠レンズＴＬの全長は短くなるが、第１レンズ群Ｇ１と第２レンズ群Ｇ２との
間隔が短くなりすぎ、接触してしまう。また、球面収差の補正が困難になるので好ましく
ない。一方、条件式（１）の上限値を上回る条件である場合、第１レンズ群Ｇ１と第２レ
ンズ群Ｇ２との間隔が長くなり、望遠レンズＴＬの全長が伸びてしまう。また、球面収差
の補正が困難になるので好ましくない。よって、上述の条件式（１）を満足することが好
ましい。
【００２８】
なお、条件式（１）の上限値を０．４５とすることが好ましい。また、本実施形態の効
果をより確実なものとするために、条件式（１）の上限値を０．４０とすることが好まし
い。また、条件式（１）の下限値を０．００５とすることが好ましい。また、本実施形態
の効果をより確実なものとするために、条件式（１）の下限値を０．０１とすることが好
ましい。
【００２９】
また、このような望遠レンズＴＬにおいて、第１レンズ群Ｇ１の前群Ｇ１ａの正レンズ
のうち少なくとも１枚のアッベ数をν１ｐとし、第１レンズ群Ｇ１の前群Ｇ１ａの負レン
ズのうち少なくとも１枚のアッベ数をν１ｎとしたとき、次の条件式（２）および条件式
（３）で表される条件をそれぞれ満足することが好ましい。
【００３０】
ν１ｐ＞９０    …（２）
ν１ｎ＞４８    …（３）
【００３１】
条件式（２）は、光学性能を良好に保ち、なおかつ、望遠レンズＴＬの全長を短くする
ための条件式である。条件式（２）の下限値を下回る条件である場合、このようにアッベ
数が小さいと光学性能のうち軸上色収差の補正が困難となる。なお、現時点で条件式（２
）を満足するガラスというのは、屈折率の低いガラスである。そのため、アッベ数の大き
いガラスを使用することで、第２レンズ群Ｇ２以降が同じ構成の場合、色収差の補正を良
好に行うためには、条件式（１）を満足するパワー配置をとる。したがって、第１レンズ
群Ｇ１の後側主点位置をより物体側にすることができるため、全長を短くするのに好まし
い条件である。
【００３２】
なお、条件式（２）の下限値を９１とすることが好ましい。また、本実施形態の効果を
より確実なものとするために、条件式（２）の下限値を９１．２とすることが好ましい。
また、条件式（２）のアッベ数ν１ｐは１００以下であるとより好ましい。
【００３３】
条件式（３）は、光学性能を良好に保つための条件式である。条件式（３）の下限値を
下回る条件である場合、軸上色収差の補正が困難になるので好ましくない。
【００３４】
なお、条件式（３）の下限値を４９とすることが好ましい。また、本実施形態の効果を
より確実なものとするために、条件式（３）の下限値を５０とすることが好ましい。また
、条件式（３）のアッベ数ν１ｎは６５以下であるとより好ましい。
【００３５】
また、このような望遠レンズＴＬにおいて、第１レンズ群Ｇ１の前群Ｇ１ａの負レンズ
のうち少なくとも１枚の屈折率をＮ１ｎとしたとき、次の条件式（４）で表される条件を
満足することが好ましい。
【００３６】
１．６０＜Ｎ１ｎ＜１．８０    …（４）
【００３７】
条件式（４）は、像面湾曲を小さくするための条件式である。前述したように、第１レ
ンズ群Ｇ１の前群Ｇ１ａの正レンズにアッベ数の大きいガラスを使用すると、当該アッベ
数の大きいガラスの屈折率は小さいので、像面湾曲の指標となるペッツバール和がプラス
になってしまい、像高の高い位置での像面が曲がってしまう。それを避けるためには、第
１レンズ群Ｇ１の前群Ｇ１ａの負レンズの屈折率を条件式（４）の範囲にすることが好ま
しい。したがって、条件式（４）の上限値を上回る条件である場合、ペッツバール和が大
きくなり、像面が曲がるため、好ましくない。一方、条件式（４）の下限値を下回る条件
である場合、ペッツバール和は小さくなるが、これが小さくなりすぎても、画面中央の最
良像面位置と周辺での最良像面位置が大きくかけ離れてしまう。ペッツバール和が正へ大
きい場合には、周辺像面は被写体側に曲がり、ペッツバール和が負へ大きい場合には、周
辺像面は撮影者側へ曲がる。よって、像面の平坦性が損なわれてしまい、好ましくない。
【００３８】
なお、条件式（４）の上限値を１．７８とすることが好ましい。また、本実施形態の効
果をより確実なものとするために、条件式（４）の上限値を１．７５とすることが好まし
い。また、条件式（４）の下限値を１．６５とすることが好ましい。また、本実施形態の
効果をより確実なものとするために条件式（４）の下限値を１．６８とすることが好まし
い。
【００３９】
また、このような望遠レンズＴＬにおいて、第２レンズ群Ｇ２は、光軸に沿って物体側
から順に並んだ、第１の負レンズＬ２ａと、正レンズＬ２ｂと、第２の負レンズＬ２ｃと
を有して構成されることが好ましい。この構成により、色収差や像面湾曲を良好に補正す
ることができる。
【００４０】
また、このような望遠レンズＴＬにおいて、第２レンズ群Ｇ２における第１の負レンズ
Ｌ２ａのアッベ数をν２ａとしたとき、次の条件式（５）で表される条件を満足すること
が好ましい。
【００４１】
２４＜ν２ａ＜５６    …（５）
【００４２】
条件式（５）は、色収差に関する条件式である。条件式（５）の下限値を下回る条件で
ある場合、このようにアッベ数が小さいと軸上色収差と倍率色収差が大きくなるため、焦
点距離が８００mm程度にもなる超望遠レンズに要求されるセンターの性能を得ることが困
難となる。一方、条件式（５）の上限値を上回る条件である場合、色収差は良くなるが、
第２レンズ群Ｇ２内のガラスのパワー配置が変わり、第１の負レンズＬ２ａの焦点距離は
長くなる。したがって、負の屈折力が弱まり、コマがプラスに発生して補正が困難となる
。
【００４３】
なお、条件式（５）の上限値を５３とすることが好ましい。また、条件式（５）の下限
値を３０とすることが好ましい。また、本実施形態の効果をより確実なものとするために
、条件式（５）の下限値を３３とすることが好ましい。
【００４４】
また、このような望遠レンズＴＬにおいて、第２レンズ群Ｇ２における第２の負レンズ
Ｌ２ｃの屈折率をＮ２ｃとしたとき、次の条件式（６）で表される条件を満足することが
好ましい。
【００４５】
１．６０＜Ｎ２ｃ＜１．８０    …（６）
【００４６】
条件式（６）は、像面湾曲に関する条件式である。前述したように、第１レンズ群Ｇ１
の前群Ｇ１ａの正レンズにアッベ数の大きいガラスを使用すると、当該アッベ数の大きい
ガラスの屈折率は小さいので、ペッツバール和がプラスになってしまう。これに対し、第
１レンズ群Ｇ１内で、ペッツバール和をマイナスに持っていくように条件式（４）を満足
すればよいが、超望遠レンズでは効果が不十分になるおそれがある。よって、超望遠レン
ズにふさわしい像面湾曲にするためには、条件式（６）を満足することが望ましい。条件
式（６）の下限値を下回る条件である場合、ペッツバール和がマイナスになりすぎて、像
高の高い位置での像面が物体側にあることになり、像面が平面にならずに好ましくない。
一方、条件式（６）の上限値を上回る条件である場合、ペッツバール和がプラスになりす
ぎて、像高の高い位置での像面が撮像素子側にあることになり、像面が平面にならずに好
ましくない。
【００４７】
なお、条件式（６）の下限値を１．６５とすることが好ましい。また、条件式（６）の
上限値を１．７８とすることが好ましい。また、本実施形態の効果をより確実なものとす
るために、条件式（６）の上限値を１．７５とすることが好ましい。
【００４８】
また、このような望遠レンズＴＬにおいて、第１レンズ群Ｇ１の焦点距離をｆ１とし、
第２レンズ群Ｇ２の焦点距離をｆ２としたとき、次の条件式（７）で表される条件を満足
することが好ましい。
【００４９】
３．６０＜ｆ１／（−ｆ２）＜４．００    …（７）
【００５０】
条件式（７）は、第１レンズ群Ｇ１と第２レンズ群Ｇ２の焦点距離の比に関する条件式
である。第２レンズ群Ｇ２と第３レンズ群Ｇ３との間が略アフォーカルであることから、
望遠レンズＴＬ全系の焦点距離をｆとし、第１レンズ群Ｇ１の焦点距離をｆ１とし、第２
レンズ群Ｇ２の焦点距離をｆ２とし、第３レンズ群Ｇ３の焦点距離をｆ３としたとき、次
式（ａ）が成立する。
【００５１】
ｆ≒ｆ１／ｆ２×ｆ３    …（ａ）
【００５２】
この式（ａ）より、次式（ｂ）も成立する。
【００５３】
ｆ１／ｆ２≒ｆ／ｆ３    …（ｂ）
【００５４】
条件式（７）の下限値を下回る条件である場合、第２レンズ群Ｇ２の焦点距離が長くな
り、無限遠物体から近距離（有限距離）物体への合焦の際、合焦レンズ群（第２レンズ群
Ｇ２）の移動量が長くなり、望遠レンズＴＬの全長が長くなってしまう。また、合焦レン
ズ群の移動量が長くなるので、所望の画角を得るために合焦レンズ群の有効径を従来の望
遠レンズの程度にとどめることが困難になる。また、条件式（７）の下限値を下回る条件
である場合、式（ｂ）より、第３レンズ群Ｇ３の焦点距離が長くなるともいえる。第３レ
ンズ群Ｇ３へ入射する光束は、略アフォーカルであるということから、ｆ３≒「Ｆナンバ
ー」×「第３レンズ群Ｇ３の有効径」より、第３レンズ群Ｇ３の焦点距離と有効径が比例
関係にあることがわかる。したがって、第３レンズ群Ｇ３の焦点距離が長くなるというこ
とは、所望のＦナンバーを満たすために第３レンズ群Ｇ３の有効径を大きくしなければな
らず、既存の防振補正機構（ＶＲモジュール）を使うことが困難となる。
【００５５】
一方、条件式（７）の上限値を上回る条件である場合、第１レンズ群Ｇ１の焦点距離が
長くなり、望遠レンズＴＬの全長が長くなってしまう。また、第２レンズ群Ｇ２の焦点距
離が短くなるので、無限遠物体から近距離（有限距離）物体への合焦の際、合焦レンズ群
である第２レンズ群Ｇ２の移動量が短くなり、第２レンズ群Ｇ２の有効径を小さくするこ
とができる。ところが、第２レンズ群Ｇ２のパワーが大きくなることにもなるため、無限
遠物体から近距離（有限距離）物体への合焦の際、球面収差変動量が大きくなってしまい
、近距離合焦状態での良好な球面収差補正が困難となる。
【００５６】
なお、条件式（７）の下限値を３．６３とすることが好ましい。また、本実施形態の効
果をより確実なものとするために、条件式（７）の下限値を３．６５とすることが好まし
い。また、条件式（７）の上限値を３．９０とすることが好ましい。また、本実施形態の
効果をより確実なものとするために、条件式（７）の上限値を３．８０とすることが好ま
しい。
【００５７】
また、このような望遠レンズＴＬにおいて、第１レンズ群Ｇ１の前群Ｇ１ａは、光軸に
沿って物体側から順に並んだ、第１の正レンズＬ１ａと、第２の正レンズＬ１ｂと、負レ
ンズＬ１ｃとを有して構成されることが好ましい。この構成により、球面収差や色収差を
良好に補正することができる。
【００５８】
ここで、軸上無限遠物点からの光軸に平行に入射する光線をランド光線と称することに
する。望遠レンズＴＬの第１レンズ群Ｇ１に入射するランド光線は、近距離物点から発す
る光線であるとしても、第１入射面には、光軸に対して、略並行に入射する。そのため、
第１レンズ群Ｇ１は、微小プリズムの集合と考えれば、最小偏角の形に近いものである必
要がある。第１レンズ群Ｇ１の第１レンズ成分である第１の正レンズＬ１ａでランド光が
収斂光束となるので、この光束をより収斂させるため、第１レンズ群Ｇ１の第２レンズ成
分である第２の正レンズＬ１ｂも最小偏角をとるように、物体側により曲率の強い面を向
けた両凸形状の凸レンズとする。しかしながら、正レンズだけでは、球面収差と色収差が
大きくなりすぎるため、第１レンズ群Ｇ１の前群Ｇ１ａに負レンズＬ１ｃを配置し、適正
な球面収差と色収差の補正を行っている。
【００５９】
また、このような望遠レンズＴＬにおいて、第１レンズ群Ｇ１の後群Ｇ１ｂは、負レン
ズＬ１ｄと、正レンズＬ１ｅとを有して構成されることが好ましい。この構成により、球
面収差や色収差を良好に補正することができる。このように、本実施形態によれば、小型
でありながら良好な光学性能を有する望遠レンズＴＬおよび、これを備えた光学装置（デ
ジタル一眼レフカメラＣＡＭ）を得ることが可能になる。
【００６０】
ここで、上述のような構成の望遠レンズＴＬの製造方法について、図１２を参照しなが
ら説明する。まず、円筒状の鏡筒内に、本実施形態の第１レンズ群Ｇ１、第２レンズ群Ｇ
２、および第３レンズ群Ｇ３を組み込む（ステップＳ１）。このとき、上述の条件式（１
）や、条件式（２）、条件式（３）等をそれぞれ満足するように、第１〜第３レンズ群Ｇ
１〜Ｇ３の各レンズをそれぞれ配置する。なお、各レンズを鏡筒内に組み込む際、光軸に
沿った順にレンズ群を１つずつ鏡筒内に組み込んでもよく、一部または全てのレンズ群を
保持部材で一体保持してから鏡筒部材と組み立ててもよい。鏡筒内に各レンズ群を組み込
んだ後、鏡筒内に各レンズ群が組み込まれた状態で物体の像が形成されるか、すなわち各
レンズ群の中心が揃っているかを確認する（ステップＳ２）。そして、像が形成されるか
確認した後、望遠レンズＴＬの各種動作を確認する（ステップＳ３）。
【００６１】
各種動作の一例としては、遠距離物体から近距離物体への合焦を行うレンズ群が光軸方
向に沿って移動する合焦動作、少なくとも一部のレンズが光軸と直交方向の成分を持つよ
うに移動する手ブレ補正動作などが挙げられる。なお、本実施形態においては、遠距離物
体（無限遠物体）から近距離物体（有限距離物体）への合焦の際、第２レンズ群Ｇ２が光
軸に沿って移動するようになっている。また、各種動作の確認順番は任意である。このよ
うな製造方法によれば、小型でありながら良好な光学性能を有する望遠レンズＴＬを得る
ことができる。
【実施例】
【００６２】
（第１実施例）
以下、本願の各実施例を添付図面に基づいて説明する。まず、本願の第１実施例につい
て図１〜図２および表１を用いて説明する。図１は、第１実施例に係る望遠レンズＴＬの
無限遠合焦状態におけるレンズ構成図である。第１実施例に係る望遠レンズＴＬは、光軸
に沿って物体側から順に並んだ、正の屈折力を有する第１レンズ群Ｇ１と、負の屈折力を
有する第２レンズ群Ｇ２と、開口絞りＳと、正の屈折力を有する第３レンズ群Ｇ３と、フ
ィルターＦＬとから構成され、第１レンズ群Ｇ１は、光軸に沿って物体側から順に並んだ
、正の屈折力を有する前群Ｇ１ａと、この前群Ｇ１ａに対し第１レンズ群Ｇ１の中で最も
長い空気間隔を隔てた正の屈折力を有する後群Ｇ１ｂとから構成される。そして、無限遠
物体から近距離（有限距離）物体への合焦の際、第２レンズ群Ｇ２が光軸に沿って像面Ｉ
側に移動するようになっている。
【００６３】
第１レンズ群Ｇ１の前群Ｇ１ａは、光軸に沿って物体側から順に並んだ、物体側に凸面
を向けた保護ガラスＬ１１と、物体側に強い凸面を向けた両凸形状の第１の正レンズＬ１
ａと、両凸形状の第２の正レンズＬ１ｂと、両凹形状の負レンズＬ１ｃとから構成される
。第１レンズ群Ｇ１の後群Ｇ１ｂは、光軸に沿って物体側から順に並んだ、物体側に凸面
を向けた負レンズ（メニスカスレンズ）Ｌ１ｄと物体側に凸面を向けた正レンズ（メニス
カスレンズ）Ｌ１ｅとの接合によりなる接合正レンズから構成される。第２レンズ群Ｇ２
は、光軸に沿って物体側から順に並んだ、両凹形状の第１の負レンズＬ２ａと、物体側に
凹面を向けた正レンズ（メニスカスレンズ）Ｌ２ｂと物体側に凹面を向けた第２の負レン
ズ（メニスカスレンズ）Ｌ２ｃとの接合によりなる接合負レンズとから構成される。第３
レンズ群Ｇ３は、光軸に沿って物体側から順に並んだ、両凸形状の第１の正レンズＬ３ａ
と、物体側に凹面を向けた第１の負レンズ（メニスカスレンズ）Ｌ３ｂと、両凸形状の第
２の正レンズＬ３ｃと、両凹形状の第２の負レンズＬ３ｄと両凸形状の第３の正レンズＬ
３ｅとの接合レンズと、両凹形状の第３の負レンズＬ３ｆと両凸形状の第４の正レンズＬ
３ｇとの接合レンズとから構成される。
【００６４】
以下に、表１〜表５を示すが、これらは第１〜第５実施例に係る望遠レンズの諸元の値
をそれぞれ掲げた表である。各表の［諸元データ］において、ｆは望遠レンズ全系の焦点
距離を、ＦＮＯはＦナンバーを、ωは半画角（最大入射角：単位は「°」）を、Ｙは像高
を、ＴＬはレンズ全長（空気換算長）をそれぞれ示す。また、［諸元データ］において、
ｆ１は第１レンズ群Ｇ１の焦点距離を、ｆ２は第２レンズ群Ｇ２の焦点距離を、ｆ１Ｆは
第１レンズ群Ｇ１の前群Ｇ１ａの焦点距離を、ｆ１Ｒは第１レンズ群Ｇ１の後群Ｇ１ｂの
焦点距離をそれぞれ示す。また、［レンズデータ］において、面番号は物体側から数えた
各レンズ面の番号を、ｒは各レンズ面の曲率半径を、ｄは各レンズ面間隔を、νｄはｄ線
（波長λ＝５８７．６ｎｍ）に対するアッベ数を、ｎｄはｄ線（波長λ＝５８７．６ｎｍ
）に対する屈折率をそれぞれ示す。なお、曲率半径「0.0000」は平面を示し、空気の屈折
率ｎｄ＝1.00000はその記載を省略している。
【００６５】
また、［可変間隔データ］には、無限遠合焦状態（焦点距離ｆ＝776）および最短撮影
距離状態（撮影倍率β＝-0.136）での各可変間隔Ｄ１，Ｄ２の値と、バックフォーカス（
空気換算長）Ｂｆの値を示す。なお、以下の全ての諸元値において掲載されている焦点距
離ｆ、曲率半径ｒ、面間隔ｄ、その他長さの単位は一般に「mm」が使われるが、光学系は
、比例拡大または比例縮小しても同等の光学性能が得られるので、これに限られるもので
はない。また、後述の第２〜第５実施例の諸元値においても、本実施例と同様の符号を用
いる。
【００６６】
下の表１に、第１実施例における各諸元を示す。なお、表１における面番号１〜３１は
、図１における面１〜３１と対応している。
【００６７】
（表１）
［諸元データ］
ｆ＝776
ＦＮＯ＝5.7
２ω＝3.18238
Ｙ＝21.633
ＴＬ＝540.57725
ｆ１＝296.7716
ｆ２＝-80.72333
ｆ１Ｆ＝358.5401
ｆ２Ｒ＝1395.165
［レンズデータ］
面番号        ｒ          ｄ          νｄ        ｎｄ
１      1200.3704      5.00        64.20      1.516798
２      1199.7897      1.00
３       176.0124     25.50        91.21      1.456
４     -3999.2353      0.10
５       211.6788     23.00        82.51      1.497823
６      -592.7953      5.10
７      -516.0786      7.90        53.87      1.712995
８       344.4134     61.60
９       134.6337      6.90        53.87      1.712995
１０        68.9319     19.00        82.51      1.49782
１１       310.3830    （Ｄ１）
１２     -2853.8608      5.50        40.11      1.762001
１３        75.1962      5.50
１４      -142.3735      7.00        28.69      1.79504
１５       -42.4084      4.60        47.93      1.717
１６      -445.8484    （Ｄ２）
１７         0.0000      6.60                            （開口絞り）
１８       255.8969      9.50        70.45      1.48749
１９       -63.9713      1.80
２０       -63.4444      5.00        27.51      1.755199
２１      -231.4913      8.00
２２       185.6642      7.00        35.92      1.66446
２３      -191.7759     19.24
２４      -285.9498      2.40        44.79      1.743997
２５        58.3897      8.00        38.01      1.60342
２６      -338.4075      2.50
２７       -76.0168      2.50        47.93      1.717004
２８       281.9472     10.50        42.70      1.56732
２９       -61.6152     34.30
３０         0.0000      2.00        64.20      1.516798
３１         0.0000    （Ｂｆ）
［可変間隔データ］
無限遠状態  最短撮影距離状態
ｆ＝776      β＝-0.136
Ｄ１    86.2760        101.67
Ｄ２    21.6814          6.29
Ｂｆ    135.58         135.58
［条件式対応値］
条件式（１）  ｆ１Ｆ／｜ｆ１Ｒ｜＝0.2570
条件式（２）  ν１ｐ＝91.21  （第１の正レンズＬ１ａ）
条件式（３）  ν１ｎ＝53.87
条件式（４）  Ｎ１ｎ＝1.713
条件式（５）  ν２ａ＝40.11
条件式（６）  Ｎ２ｃ＝1.717
条件式（７）  ｆ１／（−ｆ２）＝3.676
【００６８】
このように本実施例では、上記条件式（１）〜（７）が全て満たされていることが分か
る。
【００６９】
図２は、第１実施例に係る望遠レンズＴＬの無限遠合焦状態における諸収差図である。
各収差図において、ＦＮＯはＦナンバーを、Ａは半画角をそれぞれ示す。また、各収差図
において、ｄはｄ線（λ＝５８７．６ｎｍ）、ｇはｇ線（λ＝４３５．８ｎｍ）、ＣはＣ
線（λ＝６５６．３ｎｍ）、ＦはＦ線（λ＝４８６．１ｎｍ）における収差をそれぞれ示
す。また、非点収差を示す収差図において、実線はサジタル像面を示し、破線はメリディ
オナル像面を示している。以上、収差図の説明は他の実施例においても同様である。
【００７０】
そして、各収差図より、第１実施例では、諸収差が良好に補正され、優れた結像性能を
有していることがわかる。その結果、第１実施例の望遠レンズＴＬを搭載することにより
、デジタル一眼レフカメラＣＡＭにおいても、優れた光学性能を確保することができる。
【００７１】
（第２実施例）
以下、本願の第２実施例について図３〜図４および表２を用いて説明する。図３は、第
２実施例に係る望遠レンズＴＬの無限遠合焦状態におけるレンズ構成図である。なお、第
２実施例の望遠レンズＴＬは、第１実施例の望遠レンズと同様の構成であり、各部に第１
実施例の場合と同一の符号を付して詳細な説明を省略する。
【００７２】
下の表２に、第２実施例における各諸元を示す。なお、表２における面番号１〜３１は
、図３における面１〜３１と対応している。
【００７３】
（表２）
［諸元データ］
ｆ＝776
ＦＮＯ＝5.7
２ω＝3.18424
Ｙ＝21.633
ＴＬ＝525.11596
ｆ１＝296.7716
ｆ２＝-80.72333
ｆ１Ｆ＝311.1842
ｆ２Ｒ＝54414.29
［レンズデータ］
面番号        ｒ          ｄ          νｄ        ｎｄ
１      1200.3704      5.00        64.20      1.516798
２      1199.7897      1.00
３       174.0251     21.40        91.21      1.456
４     -3183.4196      0.10
５       197.0496     21.70        91.20      1.456
６      -606.8420      5.10
７      -536.2416      7.90        53.89      1.713
８       462.7426     61.60
９       132.9337      6.90        53.87      1.712995
１０        64.8468     15.40        82.51      1.49782
１１       226.8368    （Ｄ１）
１２     -2453.9875      5.50        39.57      1.8044
１３        79.4082      5.50
１４      -182.6744      7.00        28.69      1.79504
１５       -43.9630      4.60        47.93      1.717
１６     -1174.4626    （Ｄ２）
１７         0.0000      6.60                            （開口絞り）
１８       273.6024      6.50        70.45      1.48749
１９       -64.0698      1.80
２０       -63.3487      2.50        27.51      1.755199
２１      -231.8709     13.50
２２       181.0270      4.00        35.92      1.66446
２３      -187.9554     13.99
２４      -290.7250      2.40        44.79      1.743997
２５        64.6891      8.00        38.01      1.60342
２６      -328.2532      6.50
２７       -76.3478      2.50        47.93      1.717004
２８       276.6334      8.00        42.70      1.56732
２９       -62.4674     34.30
３０         0.0000      2.00        64.20      1.516798
３１         0.0000    （Ｂｆ）
［可変間隔データ］
無限遠状態  最短撮影距離状態
ｆ＝776      β＝-0.136
Ｄ１    86.28           97.73
Ｄ２    21.68            5.71
Ｂｆ   140.38          140.38
［条件式対応値］
条件式（１）  ｆ１Ｆ／｜ｆ１Ｒ｜＝0.0057
条件式（２）  ν１ｐ＝91.21  （第１の正レンズＬ１ａ）
条件式（２）  ν１ｐ＝91.20  （第２の正レンズＬ１ｂ）
条件式（３）  ν１ｎ＝53.89
条件式（４）  Ｎ１ｎ＝1.713
条件式（５）  ν２ａ＝39.57
条件式（６）  Ｎ２ｃ＝1.717
条件式（７）  ｆ１／（−ｆ２）＝3.676
【００７４】
このように本実施例では、上記条件式（１）〜（７）が全て満たされていることが分か
る。
【００７５】
図４は、第２実施例に係る望遠レンズＴＬの無限遠合焦状態における諸収差図である。
各収差図より、第２実施例では、諸収差が良好に補正され、優れた結像性能を有している
ことがわかる。その結果、第２実施例の望遠レンズＴＬを搭載することにより、デジタル
一眼レフカメラＣＡＭにおいても、優れた光学性能を確保することができる。
【００７６】
（第３実施例）
以下、本願の第３実施例について図５〜図６および表３を用いて説明する。図５は、第
３実施例に係る望遠レンズＴＬの無限遠合焦状態におけるレンズ構成図である。なお、第
３実施例の望遠レンズＴＬは、第２レンズ群Ｇ２の一部の形状を除いて第１実施例の望遠
レンズと同様の構成であり、各部に第１実施例の場合と同一の符号を付して詳細な説明を
省略する。なお、第３実施例の第２レンズ群Ｇ２は、光軸に沿って物体側から順に並んだ
、両凹形状の第１の負レンズＬ２ａと、物体側に凹面を向けた正レンズ（メニスカスレン
ズ）Ｌ２ｂと両凹形状の第２の負レンズＬ２ｃとの接合によりなる接合負レンズとから構
成される。
【００７７】
下の表３に、第３実施例における各諸元を示す。なお、表３における面番号１〜３１は
、図５における面１〜３１と対応している。
【００７８】
（表３）
［諸元データ］
ｆ＝776
ＦＮＯ＝5.7
２ω＝3.18286
Ｙ＝21.633
ＴＬ＝523.67402
ｆ１＝301.4814
ｆ２＝-82.01056
ｆ１Ｆ＝311.8013
ｆ２Ｒ＝-26207.1
［レンズデータ］
面番号        ｒ          ｄ          νｄ        ｎｄ
１      1200.3704      5.00        64.19      1.516798
２      1199.7897      1.00
３       172.5169     21.40        91.20      1.456
４     -2466.6787      0.10
５       202.4314     21.70        91.20      1.456
６      -574.7534      5.10
７      -506.1788      7.90        53.89      1.713
８       470.0284     55.00
９       141.8310      6.90        53.87      1.712995
１０        67.5493     15.40        82.51      1.49782
１１       245.8400    （Ｄ１）
１２      -492.3516      2.10        40.11      1.762
１３       106.9941      8.60
１４     -3176.8206      6.20        28.69      1.79504
１５       -55.4178      2.00        48.45      1.697
１６       149.5260    （Ｄ２）
１７         0.0000      6.60                            （開口絞り）
１８       291.9203      6.50        70.44      1.48749
１９       -64.7959      1.80
２０       -64.1711      2.50        27.51      1.755199
２１      -226.9047      8.50
２２       172.5060      4.00        35.92      1.66446
２３      -200.3533      9.00
２４      -317.8547      2.40        44.78      1.743997
２５        89.9765      8.00        38.01      1.60342
２６      -430.0402     10.00
２７       -82.7244      2.50        47.93      1.717004
２８       124.0092      8.00        42.70      1.56732
２９       -64.7745     34.30
３０         0.0000      2.00        64.20      1.516798
３１         0.0000    （Ｂｆ）
［可変間隔データ］
無限遠状態  最短撮影距離状態
ｆ＝776      β＝-0.136
Ｄ１    88.90          104.78
Ｄ２    26.08           10.21
Ｂｆ   144.19          144.19
［条件式対応値］
条件式（１）  ｆ１Ｆ／｜ｆ１Ｒ｜＝0.0119
条件式（２）  ν１ｐ＝91.20  （第１の正レンズＬ１ａ）
条件式（２）  ν１ｐ＝91.20  （第２の正レンズＬ１ｂ）
条件式（３）  ν１ｎ＝53.89
条件式（４）  Ｎ１ｎ＝1.713
条件式（５）  ν２ａ＝40.11
条件式（６）  Ｎ２ｃ＝1.697
条件式（７）  ｆ１／（−ｆ２）＝3.676
【００７９】
このように本実施例では、上記条件式（１）〜（７）が全て満たされていることが分か
る。
【００８０】
図６は、第３実施例に係る望遠レンズＴＬの無限遠合焦状態における諸収差図である。
各収差図より、第３実施例では、諸収差が良好に補正され、優れた結像性能を有している
ことがわかる。その結果、第３実施例の望遠レンズＴＬを搭載することにより、デジタル
一眼レフカメラＣＡＭにおいても、優れた光学性能を確保することができる。
【００８１】
（第４実施例）
以下、本願の第４実施例について図７〜図８および表４を用いて説明する。図７は、第
４実施例に係る望遠レンズＴＬの無限遠合焦状態におけるレンズ構成図である。第４実施
例に係る望遠レンズＴＬは、第２レンズ群Ｇ２および第３レンズ群Ｇ３の一部の形状を除
いて第１実施例の望遠レンズと同様の構成であり、各部に第１実施例の場合と同一の符号
を付して詳細な説明を省略する。なお、第４実施例の第２レンズ群Ｇ２は、光軸に沿って
物体側から順に並んだ、物体側に凸面を向けた第１の負レンズ（メニスカスレンズ）Ｌ２
ａと、物体側に凹面を向けた正レンズ（メニスカスレンズ）Ｌ２ｂと物体側に凹面を向け
た第２の負レンズ（メニスカスレンズ）Ｌ２ｃとの接合によりなる接合負レンズとから構
成される。また、第４実施例の第３レンズ群Ｇ３は、光軸に沿って物体側から順に並んだ
、両凸形状の第１の正レンズＬ３ａと、物体側に凹面を向けた第１の負レンズ（メニスカ
スレンズ）Ｌ３ｂと、両凸形状の第２の正レンズＬ３ｃと、両凹形状の第２の負レンズＬ
３ｄと両凸形状の第３の正レンズＬ３ｅとの接合レンズと、物体側に凹面を向けた第３の
負レンズ（メニスカスレンズ）Ｌ３ｆと物体側に凹面を向けた第４の正レンズ（メニスカ
スレンズ）Ｌ３ｇとの接合レンズとから構成される。
【００８２】
下の表４に、第４実施例における各諸元を示す。なお、表４における面番号１〜３１は
、図７における面１〜３１と対応している。
【００８３】
（表４）
［諸元データ］
ｆ＝776
ＦＮＯ＝5.7
２ω＝3.18238
Ｙ＝21.633
ＴＬ＝544.63664
ｆ１＝296.7716
ｆ２＝-80.72333
ｆ１Ｆ＝384.1447
ｆ２Ｒ＝989.0893
［レンズデータ］
面番号        ｒ          ｄ          νｄ        ｎｄ
１      1200.3704      5.00        64.20      1.516798
２      1199.7897      1.00
３       177.1578     25.50        91.21      1.456
４     -3261.4194      0.10
５       218.8792     23.00        82.51      1.49782
６      -553.4982      5.10
７      -487.7288      7.90        53.87      1.712995
８       325.3594     61.60
９       136.4375      6.90        53.87      1.712995
１０        71.4920     19.00        82.51      1.49782
１１       372.8845    （Ｄ１）
１２      1114.3700      5.50        49.62      1.7725
１３        72.0619      5.50
１４      -101.3954      7.00        28.69      1.79504
１５       -40.7398      4.60        47.93      1.717
１６      -225.0953    （Ｄ２）
１７         0.0000      6.60                            （開口絞り）
１８       222.0490      9.50        70.45      1.48749
１９       -60.7012      1.80
２０       -59.6198      5.00        27.51      1.755199
２１      -243.5342      8.00
２２       225.3223      7.00        35.92      1.66446
２３      -154.4581     20.58
２４      -299.2031      2.40        44.79      1.743997
２５        51.0851      8.00        38.01      1.60342
２６      -471.8480      2.50
２７       -75.2888      2.50        47.93      1.717004
２８      -504.1282     10.50        42.70      1.56732
２９       -61.8695     34.30
３０         0.0000      2.00        64.20      1.516798
３１         0.0000    （Ｂｆ）
［可変間隔データ］
無限遠状態  最短撮影距離状態
ｆ＝776      β＝-0.136
Ｄ１    91.30          106.69
Ｄ２    20.75            5.36
Ｂｆ   134.21          134.21
［条件式対応値］
条件式（１）  ｆ１Ｆ／｜ｆ１Ｒ｜＝0.3884
条件式（２）  ν１ｐ＝91.21  （第１の正レンズＬ１ａ）
条件式（３）  ν１ｎ＝53.87
条件式（４）  Ｎ１ｎ＝1.713
条件式（５）  ν２ａ＝49.62
条件式（６）  Ｎ２ｃ＝1.717
条件式（７）  ｆ１／（−ｆ２）＝3.676
【００８４】
このように本実施例では、上記条件式（１）〜（７）が全て満たされていることが分か
る。
【００８５】
図８は、第４実施例に係る望遠レンズＴＬの無限遠合焦状態における諸収差図である。
各収差図より、第４実施例では、諸収差が良好に補正され、優れた結像性能を有している
ことがわかる。その結果、第４実施例の望遠レンズＴＬを搭載することにより、デジタル
一眼レフカメラＣＡＭにおいても、優れた光学性能を確保することができる。
【００８６】
（第５実施例）
以下、本願の第５実施例について図９〜図１０および表５を用いて説明する。図９は、
第５実施例に係る望遠レンズＴＬの無限遠合焦状態におけるレンズ構成図である。第５実
施例に係る望遠レンズＴＬは、第１実施例の望遠レンズと同様の構成であり、各部に第１
実施例の場合と同一の符号を付して詳細な説明を省略する。
【００８７】
下の表５に、第５実施例における各諸元を示す。なお、表５における面番号１〜３１は
、図９における面１〜３１と対応している。
【００８８】
（表５）
［諸元データ］
ｆ＝776
ＦＮＯ＝5.7
２ω＝3.18238
Ｙ＝21.633
ＴＬ＝537.17373
ｆ１＝296.7716
ｆ２＝-80.72333
ｆ１Ｆ＝339.1701
ｆ２Ｒ＝2154.171
［レンズデータ］
面番号        ｒ          ｄ          νｄ        ｎｄ
１      1200.3704      5.00        64.20      1.516798
２      1199.7897      1.00
３       176.0965     25.50        91.21      1.456
４     -4429.7754      0.10
５       200.8768     23.00        82.51      1.49782
６      -596.6547      5.10
７      -520.3131      7.90        53.87      1.712995
８       352.3664     61.60
９       137.1824      6.90        53.87      1.712995
１０        67.8199     19.00        82.51      1.49782
１１       291.4721    （Ｄ１）
１２      -927.9193      5.50        35.25      1.7495
１３        75.8275      5.50
１４      -219.8896      7.00        28.69      1.79504
１５       -42.9502      4.60        47.93      1.717
１６     -6108.0385    （Ｄ２）
１７         0.0000      6.60                            （開口絞り）
１８       345.3926      9.50        70.45      1.48749
１９       -64.6466      1.80
２０       -64.5049      5.00        27.51      1.755199
２１      -209.6868      8.00
２２       163.4004      7.00        35.92      1.66446
２３      -222.2325     18.94
２４      -275.8733      2.40        44.79      1.743997
２５        70.4856      8.00        38.01      1.60342
２６      -347.9222      2.50
２７       -77.4983      2.50        47.93      1.717004
２８       154.6170     10.50        42.70      1.56732
２９       -61.5432     34.30
３０         0.0000      2.00        64.20      1.516798
３１         0.0000    （Ｂｆ）
［可変間隔データ］
無限遠状態  最短撮影距離状態
ｆ＝776      β＝-0.136
Ｄ１    81.88           97.27
Ｄ２    21.99            6.60
Ｂｆ   136.57          136.57
［条件式対応値］
条件式（１）  ｆ１Ｆ／｜ｆ１Ｒ｜＝0.1574
条件式（２）  ν１ｐ＝91.21  （第１の正レンズＬ１ａ）
条件式（３）  ν１ｎ＝53.87
条件式（４）  Ｎ１ｎ＝1.713
条件式（５）  ν２ａ＝35.25
条件式（６）  Ｎ２ｃ＝1.717
条件式（７）  ｆ１／（−ｆ２）＝3.676
【００８９】
このように本実施例では、上記条件式（１）〜（７）が全て満たされていることが分か
る。
【００９０】
図１０は、第５実施例に係る望遠レンズＴＬの無限遠合焦状態における諸収差図である
。各収差図より、第５実施例では、諸収差が良好に補正され、優れた結像性能を有してい
ることがわかる。その結果、第５実施例の望遠レンズＴＬを搭載することにより、デジタ
ル一眼レフカメラＣＡＭにおいても、優れた光学性能を確保することができる。
【００９１】
以上、各実施例によれば、小型でありながら良好な光学性能を有する望遠レンズＴＬお
よび光学装置（デジタル一眼レフカメラＣＡＭ）を実現することができる。
【００９２】
なお、上述の実施形態において、以下に記載の内容は、光学性能を損なわない範囲で適
宜採用可能である。
【００９３】
上述の各実施例において、３群構成を示したが、４群、５群等の他の群構成にも適用可
能である。また、最も物体側にレンズまたはレンズ群を追加した構成や、最も像側にレン
ズまたはレンズ群を追加した構成でも構わない。また、レンズ群とは、変倍時に変化する
空気間隔で分離された、少なくとも１枚のレンズを有する部分を示す。
【００９４】
また、単独または複数のレンズ群、または部分レンズ群を光軸方向に移動させて、無限
遠物体から近距離物体への合焦を行う合焦レンズ群としてもよい。この合焦レンズ群は、
オートフォーカスにも適用することができ、オートフォーカス用の（超音波モーター等を
用いた）モーター駆動にも適している。特に、第２レンズ群の少なくとも一部を合焦レン
ズ群とするのが好ましい。
【００９５】
また、レンズ群または部分レンズ群を光軸に垂直な方向の成分を持つように移動させ、
または、光軸を含む面内方向に回転移動（揺動）させて、手ブレによって生じる像ブレを
補正する防振レンズ群としてもよい。特に、第３レンズ群の少なくとも一部を防振レンズ
群とするのが好ましい。
【００９６】
また、レンズ面は、球面または平面で形成されても、非球面で形成されても構わない。
レンズ面が球面または平面の場合、レンズ加工および組立調整が容易になり、加工および
組立調整の誤差による光学性能の劣化を防げるので好ましい。また、像面がずれた場合で
も描写性能の劣化が少ないので好ましい。レンズ面が非球面の場合、非球面は、研削加工
による非球面、ガラスを型で非球面形状に形成したガラスモールド非球面、ガラスの表面
に樹脂を非球面形状に形成した複合型非球面のいずれの非球面でも構わない。また、レン
ズ面は回折面としてもよく、レンズを屈折率分布型レンズ（ＧＲＩＮレンズ）あるいはプ
ラスチックレンズとしてもよい。
【００９７】
また、開口絞りは第３レンズ群近傍および内部に配置されるのが好ましいが、開口絞り
としての部材を設けずに、レンズの枠でその役割を代用してもよい。
【００９８】
また、各レンズ面には、フレアやゴーストを軽減し高コントラストの高い光学性能を達
成するために、広い波長域で高い透過率を有する反射防止膜を施してもよい。
【符号の説明】
【００９９】
ＣＡＭ  デジタル一眼レフカメラ（光学装置）
ＴＬ  望遠レンズ
Ｇ１  第１レンズ群
Ｇ１ａ  前群                            Ｇ１ｂ  後群
Ｇ２  第２レンズ群                      Ｇ３  第３レンズ群
Ｓ  開口絞り                            Ｉ  像面
【図１】
0005768522.tif 000002
【図２】
0005768522.tif 000003
【図３】
0005768522.tif 000004
【図４】
0005768522.tif 000005
【図５】
0005768522.tif 000006
【図６】
0005768522.tif 000007
【図７】
0005768522.tif 000008
【図８】
0005768522.tif 000009
【図９】
0005768522.tif 000010
【図１０】
0005768522.tif 000011
【図１１】
0005768522.tif 000012
【図１２】
0005768522.tif 000013